(57)【要約】【課題】  シンクや加熱調理部において様々な条件下での作業を効率的に行うための照明を実現することのできる対面式システムキッチン。【解決手段】  シンクまたは加熱調理部の後方部分に設けられたバックガード（７，８）と、バックガードの上側において横方向に延びる照明部（１１）とを備えている。照明部は、円柱状の外形形状を有する本体部（１１ａ）と、この本体部の外周面に当接して本体部の長手軸線を中心として回動する部分円筒状の遮光部材（１１ｂ）とを有する。バックガードは、その両側に立設された一対の柱状部（９ａ，９ｂ）を有し、照明部への配線（１１ｅ）は一方の柱状部９ａに沿って設けられている。【選択図】  図３
2005137589.tif 000002
【特許請求の範囲】
【請求項１】
対面式のシステムキッチンにおいて、
シンクまたは加熱調理部の後方部分に設けられたバックガードと、
前記バックガードの上側において横方向に延びる照明部とを備えていることを特徴とするシステムキッチン。
【請求項２】
前記照明部は、円柱状の外形形状を有する本体部と、該本体部の外周面に当接して前記本体部の長手軸線を中心として回動する部分円筒状の遮光部材とを有することを特徴とする請求項１に記載のシステムキッチン。
【請求項３】
前記バックガードは、その両側に立設された一対の柱状部を有し、
前記照明部への配線は、前記一対の柱状部のうちの一方の柱状部に沿って設けられていることを特徴とする請求項１または２に記載のシステムキッチン。
【発明の詳細な説明】
【技術分野】
【０００１】
本発明は、対面式システムキッチンに関し、特に対面式のシステムキッチンにおけるバックガードの構造に関するものである。
【背景技術】
【０００２】
一般に、対面式のシステムキッチンは、シンクの前方に立ってカウンター越しにリビングルームやダイニングルームを見渡すことができるように構成される。また、対面式のシステムキッチンは、キッチン側およびリビングルーム（以下、ダイニングルームも含む概念とする）側の双方からカウンター面にアクセスすることができるように構成される。
【０００３】
そこで、対面式のシステムキッチンでは、たとえばガラス板により形成されたシンク用バックガードや加熱調理部用バックガードを設けて、シンクでの洗い作業に際して水がリビングルーム側へ飛散するのを防止したり、加熱調理部での調理作業に際して油分がリビングルーム側へ飛散するのを防止したりする構成が考えられる（たとえば特許文献１を参照）。
【０００４】
【特許文献１】特開２００３−８８４３２号公報
【発明の開示】
【発明が解決しようとする課題】
【０００５】
しかしながら、従来技術では、たとえばシンクでの調理作業中に周囲が徐々に暗くなってきた場合、作業を中断してキッチンの照明スイッチを入れに行くのが面倒であるという不都合があった。また、たとえば夜中にシンクや加熱調理部で調理作業をする場合、キッチンの照明だけでは手元が暗いことがあるという不都合があった。
【０００６】
また、食事およびその片付けが終了し、キッチンの照明を消して、リビングルームでお茶を飲んで寛ぐことがある。その後、使用したカップをシンクでさっと洗いたいときに、キッチンの照明スイッチを入れてキッチン全体を照明するのは面倒であるという不都合があった。
【０００７】
本発明は、前述の課題に鑑みてなされたものであり、シンクや加熱調理部において様々な条件下での作業を効率的に行うための照明を実現することのできる対面式システムキッチンを提供することを目的とする。
【課題を解決するための手段】
【０００８】
前記課題を解決するために、本発明では、対面式のシステムキッチンにおいて、
シンクまたは加熱調理部の後方部分に設けられたバックガードと、
前記バックガードの上側において横方向に延びる照明部とを備えていることを特徴とするシステムキッチンを提供する。
【０００９】
本発明の好ましい態様によれば、前記照明部は、円柱状の外形形状を有する本体部と、該本体部の外周面に当接して前記本体部の長手軸線を中心として回動する部分円筒状の遮光部材とを有する。また、前記バックガードは、その両側に立設された一対の柱状部を有し、前記照明部への配線は、前記一対の柱状部のうちの一方の柱状部に沿って設けられていることが好ましい。
【発明の効果】
【００１０】
本発明では、シンクまたは加熱調理部の後方部分にバックガードが設けられ、このバックガードの上側において横方向に延びるように照明部が設けられている。したがって、バックガードの本来の機能により、シンクや加熱調理部での作業に際して水や油分などがリビングルーム側へ飛散するのを防止することができる。
【００１１】
また、照明部がバックガードの上側において横方向に延びるように設けられているので、キッチンの照明に代えてあるいは加えて、バックガードの照明部を随時点灯させることにより、シンクや加熱調理部での作業に際して手元を十分に照明することができる。換言すれば、本発明の対面式のシステムキッチンでは、シンクや加熱調理部において様々な条件下での作業を効率的に行うための照明を実現することができる。
【００１２】
また、本発明では、照明部が、円柱状の外形形状を有する本体部と、この本体部の外周面に当接して本体部の長手軸線を中心として回動する部分円筒状の遮光部材とを有することが好ましい。この構成により、遮光部材の回動に応じて、照明部によりシンク側や加熱調理部側を照明したり、リビングルーム側を照明したりすることができ、多様性に富んだ照明条件を実現することができる。
【００１３】
また、本発明では、バックガードがその両側に立設された一対の柱状部を有し、照明部への配線が一方の柱状部に沿って設けられていることが好ましい。この場合、照明部への配線が外部に露出することなく、簡素な構成にしたがって、横方向に延びる照明部が上側に設けられたバックガードを容易に実現することができる。
【発明を実施するための最良の形態】
【００１４】
本発明の実施形態を、添付図面に基づいて説明する。
図１は、本発明の実施形態にかかる対面式システムキッチンの構成を概略的に示す正面図である。また、図２は、図１に示す対面式システムキッチンの上面図である。また、図３は、図１および図２に示すバックガードの構成を概略的に示す斜視図である。なお、図２の上面図では、図面の明瞭化のためにレンジフードの図示を省略している。
【００１５】
図１および図２を参照すると、本実施形態の対面式システムキッチンＳは、向かって左側の側面が壁Ｗに接するように設置されており、床の上に載置されたベースキャビネット１を備えている。ベースキャビネット１の上部には、システムキッチンＳに向かって左側から順に、たとえばＩＨまたはガスコンロが設けられた加熱調理部２とシンク３とが間隔を隔てて設けられている。
【００１６】
また、シンク３に隣接して、たとえば湯水混合型の水栓４が設けられている。さらに、壁Ｗから加熱調理部２の上方に張り出すように、レンジフード５が設けられている。また、加熱調理部２およびシンク３を除くカウンター面６は、システムキッチンＳからリビングルームＬ（図２を参照）に向かって張り出した奥行きの比較的大きな天板で覆われている。こうして、加熱調理部２およびシンク３の後方には、比較的広いカウンター面６が確保されている。
【００１７】
本実施形態にかかる対面式システムキッチンＳでは、加熱調理部２の後方部分に加熱調理部用のバックガード７が設けられ、シンク３の後方部分にシンク用のバックガード８が設けられている。加熱調理部用のバックガード７とシンク用のバックガード８とは、基本的に同じ構造を有する。以下、図３を参照して、バックガード（７，８）の構成および作用について説明する。
【００１８】
バックガード（７，８）は、図３に示すように、たとえばアルミニウム材で形成された矩形状のフレーム９と、このフレーム９の内側に取り付けられた透明または半透明な強化ガラス板１０とにより構成されている。フレーム９は、バックガード（７，８）の両側においてカウンター面６に立設された一対の柱状部９ａ，９ｂと、柱状部９ａ，９ｂの下端同士および上端同士を連結する一対の横架材９ｃ，９ｄとにより構成されている。なお、柱状部９ａ，９ｂの上端部には、鉛直方向に沿って非貫通孔９ｅが形成されている。
【００１９】
本実施形態では、バックガード（７，８）の上側において横方向に延びるように照明部１１が設けられている。照明部１１は、円柱状の外形形状を有する本体部１１ａと、図４（ａ）に示すように本体部１１ａの外周面に当接して本体部１１ａの長手軸線を中心として回動する部分円筒状の遮光部材１１ｂとを有する。遮光部材１１ｂは、たとえばアルミニウムや樹脂のような遮光性を有する適当な材料により形成されている。
【００２０】
本体部１１ａの中央部分の内部には、たとえば蛍光管（不図示）が取り付けられている。また、本体部１１ａの一端近傍にはスイッチ（手動またはセンサー）１１ｃが設けられ、スイッチ１１ｃの作用により蛍光管が点灯（または消灯）するように構成されている。また、本体部１１ａの両端には下方へ延びるピン部材１１ｄが設けられ、このピン部材１１ｄを柱状部９ａ，９ｂの非貫通孔９ｅに挿入することにより、照明部１１がバックガード（７，８）に着脱自在に取り付けられる。
【００２１】
さらに、本体部１１ａの一端からは、光源としての蛍光管に電力を供給するための配線１１ｅが外部に向かって延びている。この配線１１ｅは、一対の柱状部（９ａ，９ｂ）のうちの一方の柱状部９ａに沿って設けられている。具体的には、図４（ｂ）に示すように、照明部１１への配線１１ｅが柱状部９ａの外縁部に形成された切欠き空間部に封入された状態で、切欠き空間部が栓部材９ｆによって覆われている。
【００２２】
以上のように、本実施形態では、加熱調理部２の後方部分に加熱調理部用のバックガード７が設けられ、シンク３の後方部分にシンク用のバックガード８が設けられ、バックガード（７，８）の上側において横方向に延びるように照明部１１が設けられている。したがって、バックガード（７，８）の本来の機能により、シンク３や加熱調理部２での作業に際して水や油分などがリビングルームＬ側へ飛散するのを防止することができる。
【００２３】
また、照明部１１がバックガード（７，８）の上側において横方向に延びるように設けられているので、キッチンの照明に代えてあるいは加えて、簡単なスイッチ操作によりバックガード（７，８）の照明部１１を随時点灯させることにより、シンク３や加熱調理部２での作業に際して手元を十分に照明することができる。
【００２４】
具体的には、たとえばシンク３での調理作業中に周囲が徐々に暗くなってきた場合、作業を中断してキッチンの照明スイッチを入れに行くことなく、スイッチ１１ｃの作用により照明部１１を点灯させて手元を十分に照明することができる。また、たとえば夜中にシンク３や加熱調理部２で調理作業をするときに、キッチンの照明だけでは手元が暗い場合には、照明部１１を点灯させて手元を十分に照明することができる。
【００２５】
また、食事およびその片付けが終了し、キッチンの照明を消してリビングルームＬでお茶を飲んで寛いだ後に、使用したカップをシンク３でさっと洗いたいときに、キッチンの照明スイッチを入れることなく、照明部１１を点灯させて手元を十分に照明することができる。このように、本実施形態の対面式のシステムキッチンＳでは、シンク３や加熱調理部２において様々な条件下での作業を効率的に行うための照明を実現することができる。
【００２６】
また、本実施形態では、照明部１１が、円柱状の外形形状を有する本体部１１ａと、この本体部１１ａの外周面に当接して本体部１１ａの長手軸線を中心として回動する部分円筒状の遮光部材１１ｂとを有する。その結果、遮光部材１１ｂの回動に応じて、照明部１１によりシンク３側や加熱調理部２側を照明したり、リビングルームＬ側を照明したりすることができ、多様性に富んだ照明条件を実現することができる。
【００２７】
また、本実施形態では、バックガード（７，８）がその両側に立設された一対の柱状部（９ａ，９ｂ）を有し、照明部１１への配線１１ｅが一方の柱状部９ａに沿って設けられている。さらに詳細には、照明部１１への配線１１ｅを柱状部９ａの外縁部に形成された切欠き空間部に封入して栓部材９ｆによって覆っている。その結果、照明部１１への配線１１ｅが外部に露出することなく、簡素な構成にしたがって、横方向に延びる照明部１１が上側に設けられたバックガード（７，８）を容易に実現することができる。
【００２８】
なお、上述の実施形態では、照明部１１の光源として蛍光管を用いているが、これに限定されることなく、ＬＥＤなど他の適当な光源を用いることができる。また、上述の実施形態では、矩形状のフレーム９と強化ガラス板１０とによりバックガード（７，８）を構成しているが、これに限定されることなく、バックガードの具体的な構成については様々な変形例が可能である。
【００２９】
また、上述の実施形態では、円柱状の外形形状を有する本体部１１ａにより照明部１１を構成しているが、これに限定されることなく、照明部の具体的な構成については様々な変形例が可能である。また、上述の実施形態では、照明部１１への配線１１ｅを柱状部９ａの外縁部に形成された切欠き空間部に封入して栓部材９ｆで覆っているが、これに限定されることなく、配線を一方の柱状部に沿って設ける態様については様々な変形例が可能である。
【図面の簡単な説明】
【００３０】
【図１】本発明の実施形態にかかる対面式システムキッチンの構成を概略的に示す正面図である。
【図２】図１に示す対面式システムキッチンの上面図である。
【図３】図１および図２に示すバックガードの構成を概略的に示す斜視図である。
【図４】（ａ）は照明本体部と遮光部材との係合状態を、（ｂ）は照明部の配線を柱状部に沿って設けた様子をそれぞれ示す図である。
【符号の説明】
【００３１】
Ｓ  対面式システムキッチン
Ｗ  壁
１  ベースキャビネット
２  加熱調理部
３  シンク
４  水栓
５  レンジフード
６  カウンター面
７，８  バックガード
９  フレーム
９ａ，９ｂ  柱状部
９ｅ  非貫通孔
９ｆ  栓部材
１０  強化ガラス板
１１  照明部
１１ａ  照明本体部
１１ｂ  遮光部材
１１ｃ  スイッチ
１１ｄ  ピン部材
１１ｅ  配線
【図１】
2005137589.tif 000003
【図２】
2005137589.tif 000004
【図３】
2005137589.tif 000005
【図４】
2005137589.tif 000006